(57)【要約】【課題】ユーザが所望するコンテンツ情報を容易にもれなく登録すること。【解決手段】情報を記憶する記憶部１ｆと、路側無線装置２を介してセンター装置１と無線通信を行う通信部３ｂと、通信部３ｂを介して受信されたコンテンツ情報とユーザが所望するコンテンツ情報とが一致するか否かを判別し、一致する場合に、当該ユーザが所望するコンテンツ情報を記憶部１ｆに記憶させる制御部４と、を備える。【選択図】図１
2009201029.tif 000002
【特許請求の範囲】
【請求項１】
情報を記憶する記憶部と、
路側無線装置を介してセンター装置と無線通信を行う通信部と、
前記通信部を介して受信されたコンテンツ情報とユーザが所望するコンテンツ情報とが一致するか否かを判別し、一致する場合に、当該ユーザが所望するコンテンツ情報を前記記憶部に記憶させる制御部と、
を備える車載器。
【請求項２】
前記ユーザが所望するコンテンツ情報の選択入力を受け付ける入力部を備える請求項１に記載の車載器。
【請求項３】
前記ユーザが所望するコンテンツ情報を選択させるための表示画面を表示する表示部を備える請求項１又は２に記載の車載器。
【請求項４】
前記制御部は、
前記通信部を介して受信されたコンテンツ情報に含まれる嗜好カテゴリコードと前記ユーザの所望するコンテンツ情報に含まれる嗜好カテゴリ番号とが一致するか否かを判別する請求項１から３のいずれか一項に記載の車載器。 
【発明の詳細な説明】
【技術分野】
【０００１】
本発明は、車載器に関する
【背景技術】
【０００２】
従来、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている（例えば、特許文献１、２参照）。すなわち、車両が路側無線装置の通信範囲内にある間のみ、車両の車載器と路側無線装置との双方向通信が可能となり、この間にセンター装置が路側無線装置を介して、広告情報等の各種コンテンツ情報を配信するのである。
【特許文献１】特開２００１−１０１５７８号公報
【特許文献２】特開２００４−２７９５０９号公報
【発明の開示】
【発明が解決しようとする課題】
【０００３】
コンテンツ情報の配信に際しては、できるだけ配信する情報の内容を車内のユーザに合わせるため、ユーザの嗜好情報等、コンテンツ情報の配信に関する情報をセンター装置に提供するしくみが検討されている。具体的には、車載器のメモリ等に特定の記憶領域を設けてコンテンツ情報の配信に関する情報を書き込んでおき、センター装置からこの領域内の情報にアクセスして、コンテンツ情報の配信に関する情報を取得できる構成としている。センター装置は取得した情報を元に車内のユーザに適したコンテンツ情報を編成して配信する。
【０００４】
嗜好情報は、車載器の表示部に表示された設定画面の中から選択され、選択された嗜好情報がセンター装置に提供される。例えば、レンタルショップに関する嗜好情報（例えば、洋画、邦画、アニメ等のカテゴリ情報）を設定する場合、嗜好情報を設定するための設定画面が表示される。そして、ユーザにより設定画面から嗜好情報が選択され、選択された嗜好情報がセンター装置に提供される。
【０００５】
ここで、嗜好情報の設定時において、予め、ユーザが所望するコンテンツ情報（お気に入り情報）を設定することができれば、お気に入り情報をもれなく容易に登録することができる。例えば、嗜好情報として「洋画」を設定すると同時に、お気に入り情報として「洋画」を設定すると、「洋画」のカテゴリ全般をお気に入り情報として登録することができる。そうすると、「洋画」の中に含まれるコンテンツ情報を１個ずつお気に入り情報として登録するよりも、「洋画」の中に含まれるコンテンツ情報を容易にもれなく登録することができる。このため、お気に入り情報を容易にもれなく登録できる車載器を実現する要請があった。
【０００６】
本発明の課題は、ユーザが所望するコンテンツ情報を容易にもれなく登録することである。
【課題を解決するための手段】
【０００７】
上記課題を解決するため、請求項１に記載の発明の車載器は、
情報を記憶する記憶部と、
路側無線装置を介してセンター装置と無線通信を行う通信部と、
前記通信部を介して受信されたコンテンツ情報とユーザが所望するコンテンツ情報とが一致するか否かを判別し、一致する場合に、当該ユーザが所望するコンテンツ情報を前記記憶部に記憶させる制御部と、
を備える。
【０００８】
請求項２に記載の発明は、請求項１に記載の車載器において、
前記ユーザが所望するコンテンツ情報の選択入力を受け付ける入力部を備える。
【０００９】
請求項３に記載の発明は、請求項１又は２に記載の車載器において、  
前記ユーザが所望するコンテンツ情報を選択させるための表示画面を表示する表示部を備える。
【００１０】
請求項４に記載の発明は、請求項１から３のいずれか一項に記載の車載器において、  
前記制御部は、
前記通信部を介して受信されたコンテンツ情報に含まれる嗜好カテゴリコードと前記ユーザの所望するコンテンツ情報に含まれる嗜好カテゴリ番号とが一致するか否かを判別する。          
【発明の効果】
【００１１】
本発明によれば、ユーザが所望するコンテンツ情報を容易にもれなく登録することができる。
【発明を実施するための最良の形態】
【００１２】
以下、添付図面を参照して本発明に係る実施の形態を詳細に説明する。ただし、発明の範囲は、図示例に限定されない。
【００１３】
先ず、図１を参照して、本実施形態における配信システム１００を説明する。
配信システム１００は、図１に示すように、車両Ｃに搭載された車載器１０、路側無線装置２０、センター装置３０を含んで構成され、センター装置３０が路側無線装置２０を介して車載器１０にコンテンツ情報を配信する。路側無線装置２０は路上や駐車場等に複数設置され、各路側無線装置２０はネットワークＮを介してセンター装置３０と接続されている。また、路側無線装置２０と、路上を走行する車両Ｃの車載器１０とは無線通信が可能である。
【００１４】
なお、コンテンツ情報とは、店舗の広告や駐車場、医療施設の案内等のコンテンツ（テキスト情報、画像情報、音情報）の他、コンテンツを提供する事業者に関する情報、コンテンツの有効期限の情報（例えば、有効期限の開始と終了の日時）、サービスを提供可能な対象地点の情報（例えば、広告している店舗の地点を示す緯度経度や店舗名等）、コンテンツの通知を行うポップアップ再生を行うべき再生地点（例えば、再生地点を示す緯度経度、再生する道路種別や車両の進入方向を指定する情報等）、コンテンツの表示画面の遷移情報（次に表示する画面を指定する情報等）、後述する嗜好情報等を含めて、車載器１０に送信される一まとまりの情報をいう。
また、コンテンツ情報は嗜好情報で設定されている項目により分類され、その分類された項目を示す情報が含まれる。
【００１５】
以下、各構成装置について詳細に説明する。
路側無線装置２０は、図２に示すように本体装置２０ａとアンテナ２０ｂとから構成されている。路側無線装置２０は、道路脇や道路上方に設置されたアンテナ２０ｂから、到達距離が限定されたＤＳＲＣの電波を放射して、路側無線装置２０近傍に相互通信エリアＺを形成する。この相互通信エリアＺ内にある車両Ｃの車載器１０とだけ双方向狭域無線通信が可能となる。以下、路側無線装置２０と車載器１０間の狭域無線通信を路車間通信という場合がある。
【００１６】
ＤＳＲＣは５．８GHz帯域の電波を使った通信方式であり、その通信範囲は例えば数
メートルから数十メートルである。路側無線装置２０からのＤＳＲＣの送信出力は何れも同じ程度に設定されているので、複数の路側無線装置２０がそれぞれ形成する相互通信エリアＺは設置場所に関係なく、ほぼ一定である。
【００１７】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。
【００１８】
車載器１０は、車両Ｃに搭載され、案内経路への誘導のための処理等を行うナビゲーション機能の他、ＤＳＲＣによるＥＴＣ（Electronic Toll Collection System）利用のた
めの処理を行う機能等を有している。
車載器１０は、図３に示すように、カーナビ部１、ＶＩＣＳモジュール２、ＤＳＲＣ部３、制御部４を備えて構成されている。
【００１９】
制御部４は、ＣＰＵ（Central Processing Unit）、ＲＡＭ（Random Access Memory）
等から構成され、記憶部１ｆに記憶された制御プログラムとの協働により各種演算を行う他、各部の集中制御を行う。
例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生制御等を行う。
【００２０】
具体的には、制御部４は、通信部３ｂを介して受信されたコンテンツ情報とユーザが所望するコンテンツのコンテンツ情報とが一致するか否かを判別し、一致する場合に、当該ユーザが所望するコンテンツ情報を記憶部１ｆに記憶させる。
ここで、受信されたコンテンツ情報とは、コンテンツ（例えば、コンテンツの名称を示すテキスト情報、コンテンツの画像情報、コンテンツの音情報等）の他、サービス事業者に関する情報、コンテンツを提供する事業者に関する情報、嗜好情報のことをいう。サービス事業者に関する情報は、後述するサービス事業者コードに該当する。コンテンツを提供する事業者に関する情報は、後述する企業コードに該当する。嗜好情報は、後述する嗜好カテゴリコードに該当する。
ユーザが所望するコンテンツ情報（以下、お気に入り情報）とは、ユーザが所望するコンテンツ（ユーザが所望するコンテンツの画像情報、ユーザが所望するコンテンツの音情報、後述する嗜好データテーブルテキスト情報等）の他、サービス事業者に関する情報、ユーザの所望するコンテンツを提供する事業者に関する情報、嗜好情報のことをいう。サービス事業者に関する情報は、後述するサービス事業者コードに該当する。コンテンツを提供する事業者に関する情報は、後述する企業コードに該当する。嗜好情報は、後述する嗜好カテゴリ番号に該当する。
【００２１】
カーナビ部１は、カーナビ制御部１ａ、現在地検出部１ｂ、地図記憶部１ｃ、入力部１ｄ、表示部１ｅ、記憶部１ｆ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２２】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２３】
地図記憶部１ｃは、メモリやＤＶＤ等の記録媒体から構成され、案内表示に必要な地図情報、ＶＩＣＳモジュール２を介して受信されるガイド情報（道路情報、渋滞情報等）等を記憶している。
【００２４】
入力部１ｄは、操作キーや表示部１ｅと一体に構成されるタッチパネル等から構成されている。入力部１ｄは、これらの操作に対応する操作信号を生成し、制御部３１に出力する。
表示部１ｅは、モニタを備え、制御部４の制御に従ってモニタ上に各種情報を表示する。例えば、設定画面や地図画面、センター装置１０から受信したコンテンツ情報の表示画面、後述する嗜好データ設定画面５１，６１等である。
【００２５】
記憶部１ｆは、メモリから構成され、制御部４やカーナビ制御部１ａにより実行される制御プログラム、プログラムの実行に必要なパラメータ、後述するお気に入り設定データ及びお気に入り情報等を記憶している。
また、記憶部１ｆは、センター装置３０に提供するアップリンク情報を記憶するとともに、センター装置３０から受信したコンテンツ情報を記憶する。ユーザがコンテンツ情報の配信について契約をした配信事業者（以下、正規の配信事業者という。）が複数ある場合には、アップリンク情報は各配信事業者に応じた内容で制御部４によりそれぞれ生成され、記憶部１ｆに記憶される。アップリンク情報は最新の内容となるように制御部４が常に更新を行って記憶部１ｆに保存させる。アップリンク情報の詳細については後述する。
【００２６】
ＶＩＣＳモジュール２は、光通信用、ＦＭ通信用、２．４GHz電波通信用のアンテナを
それぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部３１に出力する。
【００２７】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００２８】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００２９】
通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００３０】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に情報を提供するために専用に設けられた記憶領域であり、アップリンク情報ｍ１の他、車載器１０の特性情報（図示せず）が記憶される。
【００３１】
特性情報とは、車載器１０の機器特性に関する情報をいう。特性情報には、車載器１０の車載器ＩＤ、車載器１０が対応できる言語、地図の測地系、著作権管理技術、表示部１ｅのディスプレイの解像度、ＳＶＧ（Scalable Vector Graphics）の対応性、コンテンツ情報を蓄積可能な記憶容量等の情報が含まれる。なお、車載器ＩＤは各車載器１０に固有の識別情報である。
【００３２】
アップリンク情報ｍ１とは、センター装置３０においてどのような内容のコンテンツ情報を配信するかを決定する際に用いられる情報である。アップリンク情報ｍ１には、配信事業者の特定情報、車両Ｃの目的地情報、経由地情報、累計走行距離情報、過去の立ち寄り地情報、ユーザの嗜好情報、広告視聴履歴情報等が含まれる。また、アップリンク情報ｍ１は配信事業者Ａ、Ｂの配信事業者毎に生成され、アップリンク情報記憶領域Ｍに記憶される。
【００３３】
配信事業者の特定情報は、ユーザが予めコンテンツ情報の配信について契約した配信事業者を特定する情報であり、例えば事業者コード、事業者名等である。
車両Ｃの目的地情報は、カーナビ部１で設定された目的地の緯度、経度の情報であり、経由地情報はカーナビ部１で設定された目的地までの誘導経路において経由する地点の緯度、経度の情報である。また、累計走行距離情報はＤＳＲＣ部３のセットアップ（起動）時点から現在までの車両Ｃの累計走行距離の情報であり、過去の立ち寄り地情報は過去に車両Ｃが停車した（つまり車載器１０の電源がＯＮ又はＯＦＦされた）地点の緯度、経度の情報及び時刻情報である。
【００３４】
嗜好情報は、センター装置３０においてユーザの嗜好に合わせてコンテンツ情報を編成するために用いるものである。嗜好情報は、コンテンツ情報を分類した複数の項目毎にユーザの嗜好性に関する情報を設定したものである。項目は配信事業者が任意に設定できる。
【００３５】
次に、図４を参照して、センター装置３０から車載器１０へ配信されるコンテンツ情報のフォーマットの一例を説明する。
図４に示すように、コンテンツ情報には、個々にＩＤが付された情報、例えば構成ＩＤ、事業者、コンテンツ詳細、有効期限、時間提供、対象地点、情報提供地点、遷移情報、駐車場情報、運転支援情報、嗜好情報等が含まれている。
【００３６】
ＩＤ＝００の構成ＩＤの情報は、コンテンツ情報内に含まれる情報のＩＤの一覧を表す情報である。ＩＤ＝００の構成ＩＤを参照することによりコンテンツ情報内にどの情報が含まれているかを判断することができる。
ＩＤ＝０１の事業者の情報は、サービス事業者を特定するための情報であり、例えば事業者コード等である。
ＩＤ＝０２のコンテンツ詳細はコンテンツ情報に関する詳細な情報であり、例えばサービス事業者がコンテンツ情報に対し個別に割り付けた情報コード、コンテンツ情報が属する嗜好情報のカテゴリ、再生を即時に行うか蓄積するかを示す即時／蓄積コード等である。
【００３７】
ＩＤ＝０４の有効期限はコンテンツの再生についての有効期限を示す情報であり、有効期限の開始時期及び終了時期を示す日時で表される。
ＩＤ＝０５の時間提供は後述する対象地点においてサービスを提供できる営業時間等の情報である。
【００３８】
対象地点とはサービスの提供を行う店舗や施設等をいい、ＩＤ＝１０の対象地点の情報としては、例えば対象地点の位置を示す対象地点座標（緯度経度）、対象地点名称等を示す対象地点表示用テキスト、対象地点の説明等に係るコンテンツであるテキスト、画像、音声、対象地点の情報をＩＰ通信により提供する際のＵＲＬ、対象地点を地図上に表示する際に使用されるアイコン画像、提携駐車場情報等からなる。
【００３９】
ここで、提携駐車場情報とは、対象地点において提携指定されている駐車場に関する情報であり、例えば提携指定されている駐車場を示す駐車場ＩＤの情報である。
【００４０】
ＩＤ＝２０の情報提供地点の情報はコンテンツを再生させたい情報提供エリアに関する情報である。蓄積されたコンテンツについては、情報提供エリア内にある道路である方向から車両Ｃが進入した際にコンテンツがあることを通知するポップアップ通知を行い、そこで再生の指示がなされるとコンテンツの再生を行う。ＩＤ＝２０の情報提供地点は、このときのポップアップ通知やコンテンツ再生等を行う際の条件を指定する情報である。例えば、情報提供エリアの中心座標（緯度経度）、半径、車両Ｃの進入方向を示す方向コード、道路種別、ポップアップ通知用の表示画像、音声等からなる。
【００４１】
ＩＤ＝３０の遷移情報は、ＩＤ＝２０の対象地点のコンテンツに画像が含まれるコンテンツ情報が複数あり、各コンテンツ情報の画像を遷移させて表示する場合に用いる情報である。遷移情報は、例えば次の遷移先の情報コードを示す次再生情報コード等からなる。
【００４２】
ＩＤ＝５０の駐車場情報は、センター装置３０において予め登録されている駐車場に関する情報である。駐車場情報は、例えばセンター装置において予め登録されている駐車場の駐車場ＩＤ、満空情報の他、車両制限、予約可否、料金、特記事項等である。満空情報とは満車、空車の状況を示す情報をいう。また、特記事項には「雨よけ」等の情報を含ませることができるので、この特記事項の情報を参照することにより雨に濡れない駐車場等、ユーザの要望に応じた駐車場を選択することが可能となる。
【００４３】
ＩＤ＝６０の運転支援情報は、駐車場の出入口付近や駐車場内の合流分岐、速度案内等、敷地内の運転に関して運転の補助となる情報である。運転支援情報は、例えば運転支援のための画像、音声案内を行うのに用いられる表音文字列、圧縮音声、音声の再生順の情報等である。
【００４４】
ＩＤ＝８０の嗜好情報は、上述したように、ユーザの嗜好に合わせて配信するコンテンツ情報を編成するために用いられる情報である。具体的には、嗜好情報は、嗜好データテーブルのバージョン情報を示す嗜好情報のバージョン、嗜好データテーブルのバージョンにより定められているカテゴリの名称を示すカテゴリの表示用テキスト、嗜好データテーブルのバージョンにより定められているカテゴリの発話用表音文字列を示すカテゴリの表音文字列、嗜好データテーブルのバージョンにより定められているカテゴリの詳細情報を示すカテゴリの詳細情報等からなる。嗜好データテーブルは、具体的には、嗜好情報（嗜好データ）の番号を示す嗜好データ番号、嗜好データを表示するテキスト情報を示す嗜好データ表示用テキスト（嗜好データテーブルテキスト情報）、嗜好データの表示用のネスト（ツリー）構造を示す嗜好データ表示用ネスト、嗜好データの識別子を示す嗜好データ対象識別子、嗜好データのデフォルト値を示す嗜好データデフォルト値、嗜好データの表音文字列を示す表音文字列により構成される。
【００４５】
次に動作について説明する。先ず、図５を参照して、車載器１０において実行されるお気に入り設定テーブル登録処理を説明する。お気に入り設定データ登録処理とは、お気に入り設定データを記憶部１ｆに登録（記憶）させる処理である。
【００４６】
例えば、ユーザにより入力部１ｄを介してお気に入り設定テーブル登録処理の実行指示の入力がされたこと等をトリガとして、ＲＯＭから読み出されて適宜ＲＡＭに展開されたお気に入り設定テーブル登録プログラムと、ＣＰＵとの協働によりお気に入り設定テーブル登録処理が実行される。
【００４７】
先ず、通信部３ｂを介してセンター装置３０から送信されたコンテンツ情報（ＩＤ＝８０のデータ）が受信される（ステップＳ１１）。ＩＤ＝８０のデータとは、上述したように、センター装置３０から送信されたコンテンツ情報に含まれる情報である。
【００４８】
ステップＳ１１の実行後、受信されたＩＤ＝８０のデータに含まれる嗜好データ番号から嗜好カテゴリ番号への変換が行われる（ステップＳ１２）。そして、受信されたＩＤ＝８０のデータ（具体的には、嗜好データテーブルの嗜好データテーブルテキスト情報）に基づいて、嗜好データ設定画面が生成され、生成された嗜好データ設定画面が表示部１ｅに表示される（ステップＳ１３）。例えば、図５及び図６に示す嗜好データ設定画面５１，６１が表示部１ｅに表示される。
【００４９】
ここで、図６及び図７に示す嗜好データ設定画面５１，６１は、レンタルショップにおける嗜好データ設定画面を示している。具体的には、嗜好データ設定画面５１は、チェックボタン５２〜５４と、お気に入り選択ボタン６２〜６４と、を含む。嗜好データ設定画面６１は、チェックボタン５５〜５８と、お気に入り選択ボタン６５〜６７と、を含む。嗜好データ設定画面５１，６１におけるチェックボタン５２〜５８は、嗜好情報を設定するためのボタンである。例えば、ユーザが洋画全体（アクション、ドラマ、ＳＦを含めた全体）を嗜好情報として設定したい場合は、チェックボタン５２が押下される。また、洋画のアクションを嗜好情報として設定したい場合は、チェックボタン５２Ａが押下される。
【００５０】
嗜好データ設定画面５１，６１におけるお気に入り選択ボタン６２〜６７は、ユーザの所望するコンテンツをお気に入り設定データとして設定するためのボタンである。例えば、ユーザが洋画全体をお気に入り設定データとして設定したい場合は、お気に入り選択ボタン６２が押下される。また、洋画のアクションをお気に入り設定データとして設定したい場合は、チェックボタン６２Ａが押下される。
【００５１】
ステップＳ１３の実行後、お気に入り選択ボタン６２〜６７が押下されたか否かが判別される（ステップＳ１４）。お気に入り選択ボタン６２〜６７が押下されていないと判別された場合（ステップＳ１４；ＮＯ）、ステップＳ１４に移行される。お気に入り選択ボタン６２〜６７が押下されたと判別された場合（ステップＳ１４；ＹＥＳ）、お気に入り設定データが登録される（ステップＳ１５）。お気に入り設定データとは、サービス事業者毎にユニークに割り付けられるサービス事業者コード、サービス事業者が配信するコンテンツ情報の提供元を示す企業コード、嗜好データ番号から変換された嗜好カテゴリ番号、及び嗜好データテーブルテキスト情報を含んだテーブルのことをいう。具体的には、図８に示すお気に入り設定データがテーブル７１として制御部４の記憶部１ｆに登録（記憶）される。なお、嗜好データ設定画面５１，６１において設定された嗜好情報はアップリンク情報としてセンター装置３０へ送信されるが、お気に入り設定データはセンター装置３０には送信されずに記憶部１ｆに記憶される。ステップＳ１４の実行後、お気に入り設定データ登録処理は終了される。
【００５２】
次に、図９を参照して、車載器１０において実行されるお気に入り情報登録処理について説明する。お気に入り登録処理は、お気に入り情報を登録するための処理である。
【００５３】
例えば、通信部３ｂを介してセンター装置３０からコンテンツ情報を受信開始したこと等をトリガとして、ＲＯＭから読み出されて適宜ＲＡＭに展開されたお気に入り情報登録プログラムと、ＣＰＵとの協働によりお気に入り情報登録処理が実行される。
予め、お気に入り設定データ登録処理において設定された嗜好情報を含むアップリング情報が通信部３ｂを介してセンター装置３０に送信され、当該設定された嗜好情報に対応するコンテンツ情報がセンター装置３０から送信されているものとして説明する。
【００５４】
先ず、通信部３ｂを介してセンター装置３０からコンテンツ情報が受信される（ステップＳ２１）。そして、コンテンツ情報の受信が終了したか否かが判別される（ステップＳ２２）。コンテンツ情報の受信が終了していないと判別された場合（ステップＳ２２；ＮＯ）、ステップＳ２２に移行される。コンテンツ情報の受信が終了したと判別された場合（ステップＳ２２；ＹＥＳ）、受信データが保存される（ステップＳ２３）。受信データとは、サービス事業者コード、企業コード、及び嗜好カテゴリコード等を含んだコンテンツ情報のことをいう。
【００５５】
ステップＳ２３の実行後、受信データとお気に入り設定データとが比較され、一致するか否かが判別される（ステップＳ２４）。具体的には、受信データに含まれるサービス事業者コードとお気に入り設定データに含まれるサービス事業者コードとの比較、受信データに含まれる企業コードとお気に入り設定データに含まれる企業コードとの比較、受信データに含まれる嗜好カテゴリコードとお気に入り設定データに含まれる嗜好カテゴリ番号との比較が行われる。
【００５６】
ここで、図１０を参照して、嗜好カテゴリコードと嗜好カテゴリ番号との比較について説明する。図１０に示すように、嗜好カテゴリコードは、ビット列のデータであり、それぞれの嗜好カテゴリコードがそれぞれの嗜好カテゴリ番号に対して、フラグの役割を果たす。例えば、嗜好カテゴリ番号「２」に対応する嗜好カテゴリコードが「１」となっている場合、嗜好カテゴリ番号「２」が嗜好カテゴリコードに含まれることを表す。このとき、例えば、嗜好カテゴリ番号２がアクションのコンテンツ情報であるとすると、嗜好カテゴリコードにアクションのコンテンツ情報が含まれることとなる。図１０の場合、嗜好カテゴリ番号「２」に対応する嗜好カテゴリコードが「１」となっているので、嗜好カテゴリ番号（嗜好カテゴリ番号「２」）と嗜好カテゴリコード（ビットデータ「１」）とは一致すると判別される。
【００５７】
ステップＳ２４の実行後、お気に入り登録が実行される（ステップＳ２５）。例えば、嗜好カテゴリ番号２に関連付けされたお気に入り設定テーブルの情報（例えば、図８の場合、情報コード“００１”、サービス事業者コード“００１”、企業コード“００８”、嗜好データテーブルテキスト情報“アクション”の情報）がお気に入り情報として自動的に記憶部１ｆに登録（記憶）される。ステップＳ２５の実行後、お気に入り情報登録処理を終了するか否かの判別が行われる（ステップＳ２６）。例えば、入力部１ｄにお気に入り情報登録処理を終了する旨の指示が入力されたか否かに基づいて、本ステップが判別される。お気に入り情報登録処理を終了しないと判別された場合（ステップＳ２６；ＮＯ）、ステップＳ２１に移行される。お気に入り情報登録処理を終了すると判別された場合（ステップＳ２６；ＹＥＳ）、お気に入り情報登録処理は終了される。
【００５８】
以上、本実施の形態によれば、通信部３ｂを介して受信されたコンテンツ情報とユーザが所望するコンテンツのコンテンツ情報とが一致する場合に、ユーザが所望するコンテンツ情報を記憶部１ｆに記憶させる。これにより、例えば、ユーザがアクション、ドラマ、ＳＥを含む洋画全体をお気に入り情報として登録したい場合、洋画をまとめてお気に入り情報として登録できるので、お気に入り情報を容易にもれなく登録することができる。
【００５９】
また、ユーザは入力部１ｄを介して所望するコンテンツ情報を選択入力することができる。
【００６０】
また、ユーザの所望するコンテンツ情報を選択させるための表示画面（嗜好データ設定画面５１，６１）を表示部１ｅに表示することができる。
【００６１】
また、嗜好カテゴリコードと嗜好カテゴリ番号とが一致するか否かを判別し、一致する場合に、ユーザが所望するコンテンツ情報を記憶部１ｆに記憶することができる。
【００６２】
その他、上記実施の形態における車載器１０の細部構成及び詳細動作に関しても、本発明の趣旨を逸脱しない範囲で適宜変更可能である。
【図面の簡単な説明】
【００６３】
【図１】本発明に係る配信システムを示す図である。
【図２】図１の路側無線装置の相互通信エリアを説明する図である。
【図３】車載器の内部構成を示す図である。
【図４】コンテンツ情報のフォーマットの一例を示す図である。
【図５】お気に入り設定データ登録処理の流れを示すフローチャートである。
【図６】嗜好データ設定画面を示す図である。
【図７】嗜好データ設定画面を示す図である。
【図８】お気に入り設定データのテーブルを示す図である。
【図９】お気に入り情報登録処理の流れを示すフローチャートである。
【図１０】嗜好カテゴリコードと嗜好カテゴリ番号との関係を示す図である。
【符号の説明】
【００６４】
１     カーナビ部
１ａ   カーナビ制御部
１ｂ   現在地検出部
１ｃ   地図記憶部
１ｄ   入力部
１ｅ   表示部
１ｆ   記憶部
２     ＶＩＣＳモジュール
３     ＤＳＲＣ部
４     制御部
１０   車載器
２０   路側無線装置
３０   センター装置
１００ 配信システム
【図１】
2009201029.tif 000003
【図２】
2009201029.tif 000004
【図３】
2009201029.tif 000005
【図４】
2009201029.tif 000006
【図５】
2009201029.tif 000007
【図６】
2009201029.tif 000008
【図７】
2009201029.tif 000009
【図８】
2009201029.tif 000010
【図９】
2009201029.tif 000011
【図１０】
2009201029.tif 000012